(57)【特許請求の範囲】
【請求項１】
第１の変調信号に基づいて情報記録面に凹凸形状を形成する成形工程と、
上記情報記録面に反射膜を被覆する成膜工程とを有し、
上記凹凸形状をピット及びランドから成る第１の記録データ列として記録トラックを形成する再生専用型光ディスク媒体の製造方法であって、
上記成形工程において上記ピット及びランドから成る第１の記録データ列が形成された上記記録トラック中に、上記情報記録面が平面形状となる追加情報記録区間を形成する工程と、
上記成膜工程の後に、上記追加情報記録区間において、第２の変調信号に基づいて上記反射膜を消失又は減少させたマークから成る第２の記録データ列を形成する工程とを備え、
上記第１の記録データ列と上記第２の記録データ列とにレーザ光を当てた場合の上記第１の記録データ列における再生信号振幅の最小レベルと、上記第２のデータ列における再生信号振幅の最小レベルとが略同一となるように、上記第１のデータ列の形成と上記第２の記録データ列の形成が行われ、
上記第１の記録データ列を形成する際の情報データの変調方式と上記第２の記録データ列を形成する際の情報データの変調方式とは同一であり、
上記第２の記録データ列を形成する工程において、上記反射膜を消失又は減少させたマークの幅及び／又は長さを調整することで、上記第１の記録データ列における再生信号振幅の最小レベルと、上記第２の記録データ列における再生信号振幅の最小レベルとが略同一となるように調整するとともに、
上記成形工程において、上記ピットの幅及び／又は長さを調整することで、上記第１の記録データ列における再生信号振幅の最小レベルと、上記第２の記録データ列における再生信号振幅の最小レベルとが略同一となるように調整する
再生専用型光ディスク媒体の製造方法。
【請求項２】
第１の変調信号に基づいて情報記録面に凹凸形状を形成する成形工程と、
上記情報記録面に反射膜を被覆する成膜工程とを有し、
上記凹凸形状をピット及びランドから成る第１の記録データ列として記録トラックを形成する再生専用型光ディスク媒体の製造方法であって、
上記成形工程において上記ピット及びランドから成る第１の記録データ列が形成された上記記録トラック中に、上記情報記録面が平面形状となる追加情報記録区間を形成する工程と、
上記成膜工程の後に、上記追加情報記録区間において、第２の変調信号に基づいて上記反射膜を消失又は減少させたマークから成る第２の記録データ列を形成する工程とを備え、
上記第１の記録データ列と上記第２の記録データ列とにレーザ光を当てた場合の上記第１の記録データ列における最短ピット／スペースに対応する再生信号振幅の中間レベルと、上記第２のデータ列における最短マーク／スペースにおける再生信号振幅の中間レベルとが略同一となるように、上記第１のデータ列の形成と上記第２の記録データ列の形成が行われ、
上記第１の記録データ列を形成する際の情報データの変調方式と上記第２の記録データ列を形成する際の情報データの変調方式とは同一であり、
上記第２の記録データ列を形成する工程において、上記反射膜を消失又は減少させたマークの幅及び／又は長さを調整することで、上記第１の記録データ列における最短ピット／スペースに対応する再生信号振幅の中間レベルと、上記第２の記録データ列における最短マーク／スペースにおける再生信号振幅の中間レベルとが略同一となるように調整するとともに、
上記成形工程において、上記ピットの幅及び／又は長さを調整することで、上記第１の記録データ列における最短ピット／スペースに対応する再生信号振幅の中間レベルと、上記第２の記録データ列における最短マーク／スペースにおける再生信号振幅の中間レベルとが略同一となるように調整する
再生専用型光ディスク媒体の製造方法。
【請求項３】
第１の変調信号に基づいて情報記録面に凹凸形状を形成する成形工程と、
上記情報記録面に反射膜を被覆する成膜工程とを有し、
上記凹凸形状をピット及びランドから成る第１の記録データ列として記録トラックを形成する再生専用型光ディスク媒体の製造方法であって、
上記成形工程において上記ピット及びランドから成る第１の記録データ列が形成された上記記録トラック中に、上記情報記録面が平面形状となる追加情報記録区間を形成する工程と、
上記成膜工程の後に、上記追加情報記録区間において、第２の変調信号に基づいて上記反射膜を消失又は減少させたマークから成る第２の記録データ列を形成する工程とを備え、
上記第１の記録データ列と上記第２の記録データ列とにレーザ光を当てた場合の上記第１の記録データ列における再生信号振幅の最小レベルと、上記第２のデータ列における再生信号振幅の最小レベルとが略同一となり、かつ、上記第１の記録データ列における最短ピット／スペースに対応する再生信号振幅の中間レベルと、上記第２のデータ列における最短マーク／スペースにおける再生信号振幅の中間レベルとが略同一となるように、上記第１のデータ列の形成と上記第２の記録データ列の形成が行われ、
上記第１の記録データ列を形成する際の情報データの変調方式と上記第２の記録データ列を形成する際の情報データの変調方式とは同一であり、
上記第２の記録データ列を形成する工程において、上記反射膜を消失又は減少させたマークの幅及び／又は長さを調整することで、上記第１の記録データ列における再生信号振幅の最小レベルと、上記第２のデータ列における再生信号振幅の最小レベルとが略同一となり、かつ、上記第１の記録データ列における最短ピット／スペースに対応する再生信号振幅の中間レベルと、上記第２の記録データ列における最短マーク／スペースにおける再生信号振幅の中間レベルとが略同一となるように調整するとともに、
上記成形工程において、上記ピットの幅及び／又は長さを調整することで、上記第１の記録データ列における再生信号振幅の最小レベルと、上記第２のデータ列における再生信号振幅の最小レベルとが略同一となり、かつ、上記第１の記録データ列における最短ピット／スペースに対応する再生信号振幅の中間レベルと、上記第２の記録データ列における最短マーク／スペースにおける再生信号振幅の中間レベルとが略同一となるように調整する
再生専用型光ディスク媒体の製造方法。
【請求項４】
第１の変調信号に基づいて形成された凹凸形状を有する情報記録面と、前記情報記録面を被覆する反射膜とを有し、前記凹凸形状をピット及びランドから成る第１の記録データ列として記録トラックを形成する再生専用型光ディスク媒体において、
上記ピット及びランドから成る第１の記録データ列が形成された上記記録トラック中に上記情報記録面が平面形状となる追加情報記録区間が設けられ、
該追加情報記録区間において、第２の変調信号に基づいて反射膜を消失又は減少させたマークから成る第２の記録データ列が形成されており、
上記第１の記録データ列と上記第２の記録データ列とにレーザ光を当てた場合の上記第１の記録データ列における再生信号振幅の最小レベルと、上記第２のデータ列における再生信号振幅の最小レベルとが略同一となり、
上記第１の記録データ列が形成される際の情報データの変調方式と上記第２の記録データ列が形成される際の情報データの変調方式とは同一であり、
上記第２の記録データ列は、上記反射膜を消失又は減少させたマークの幅及び／又は長さが調整されることで、上記第１の記録データ列における再生信号振幅の最小レベルと、上記第２の記録データ列における再生信号振幅の最小レベルとが略同一となるように調整されたものであるとともに、
上記ピットの幅及び／又は長さが調整されることで、上記第１の記録データ列における再生信号振幅の最小レベルと、上記第２の記録データ列における再生信号振幅の最小レベルとが略同一となるように調整された
再生専用型光ディスク媒体。
【請求項５】
第１の変調信号に基づいて形成された凹凸形状を有する情報記録面と、前記情報記録面を被覆する反射膜とを有し、前記凹凸形状をピット及びランドから成る第１の記録データ列として記録トラックを形成する再生専用型光ディスク媒体において、
上記ピット及びランドから成る第１の記録データ列が形成された上記記録トラック中に上記情報記録面が平面形状となる追加情報記録区間が設けられ、
該追加情報記録区間において、第２の変調信号に基づいて反射膜を消失又は減少させたマークから成る第２の記録データ列が形成されており、
上記第１の記録データ列と上記第２の記録データ列とにレーザ光を当てた場合の上記第１の記録データ列における最短ピット／スペースに対応する再生信号振幅の中間レベルと、上記第２のデータ列における最短マーク／スペースにおける再生信号振幅の中間レベルとが略同一となり、
上記第１の記録データ列が形成される際の情報データの変調方式と上記第２の記録データ列が形成される際の情報データの変調方式とは同一であり、
上記第２の記録データ列は、上記反射膜を消失又は減少させたマークの幅及び／又は長さが調整されることで、上記第１の記録データ列における最短ピット／スペースに対応する再生信号振幅の中間レベルと、上記第２の記録データ列における最短マーク／スペースにおける再生信号振幅の中間レベルとが略同一となるように調整されたものであるとともに、
上記ピットの幅及び／又は長さが調整されることで、上記第１の記録データ列における最短ピット／スペースに対応する再生信号振幅の中間レベルと、上記第２の記録データ列における最短マーク／スペースにおける再生信号振幅の中間レベルとが略同一となるように調整された
ことを特徴とする再生専用型光ディスク媒体。
【請求項６】
第１の変調信号に基づいて形成された凹凸形状を有する情報記録面と、前記情報記録面を被覆する反射膜とを有し、前記凹凸形状をピット及びランドから成る第１の記録データ列として記録トラックを形成する再生専用型光ディスク媒体において、
上記ピット及びランドから成る第１の記録データ列が形成された上記記録トラック中に上記情報記録面が平面形状となる追加情報記録区間が設けられ、
該追加情報記録区間において、第２の変調信号に基づいて反射膜を消失又は減少させたマークから成る第２の記録データ列が形成されており、
上記第１の記録データ列と上記第２の記録データ列とにレーザ光を当てた場合の上記第１の記録データ列における再生信号振幅の最小レベルと、上記第２のデータ列における再生信号振幅の最小レベルとが略同一となり、かつ、上記第１の記録データ列における最短ピット／スペースに対応する再生信号振幅の中間レベルと、上記第２のデータ列における最短マーク／スペースにおける再生信号振幅の中間レベルとが略同一となり、
上記第１の記録データ列を形成される際の情報データの変調方式と上記第２の記録データ列を形成される際の情報データの変調方式とは同一であり、
上記第２の記録データ列は、上記反射膜を消失又は減少させたマークの幅及び／又は長さが調整されることで、上記第１の記録データ列における再生信号振幅の最小レベルと、上記第２のデータ列における再生信号振幅の最小レベルとが略同一とされ、かつ、上記第１の記録データ列における最短ピット／スペースに対応する再生信号振幅の中間レベルと、上記第２の記録データ列における最短マーク／スペースにおける再生信号振幅の中間レベルとが略同一となるように調整されたものであるとともに、
上記ピットの幅及び／又は長さが調整されることで、上記第１の記録データ列における再生信号振幅の最小レベルと、上記第２のデータ列における再生信号振幅の最小レベルとが略同一となり、かつ、上記第１の記録データ列における最短ピット／スペースに対応する再生信号振幅の中間レベルと、上記第２の記録データ列における最短マーク／スペースにおける再生信号振幅の中間レベルとが略同一となるように調整された
再生専用型光ディスク媒体。
【発明の詳細な説明】
【技術分野】
【０００１】
本発明は、再生専用型光ディスク媒体と、その製造方法に関する。特にはピット転写により大量に製造される再生専用型光ディスク媒体において個別に固有の情報等を付与できるようにする技術に関する。
【背景技術】
【０００２】
【特許文献１】特開２００１−１３５０２１号公報
【特許文献２】国際公開第０１／００８１４５号パンフレット
【特許文献３】国際公開第０２／１０１７３３号パンフレット
【０００３】
例えば再生専用すなわちＲＯＭ（Read Only Memory）型のＣＤ（Compact Disc）、ＤＶＤ（Digital Versatile Disc）、ＢＤ(Blu-ray disc：登録商標)、ＨＤ−ＤＶＤ(High Definition DVD)等の光ディスク媒体にあって、音楽、映像、ゲーム、アプリケーションプログラム、そのほかの情報データは、コンテンツエリアと呼ばれる領域に、所定の記録変調方式により記録されている。
例えばこれらの再生専用型光ディスク媒体は、その優れた量産性による低い生産コストにより多くのコンテンツホルダーがコンテンツの提供手段として利用している。
【０００４】
再生専用型光ディスク媒体の製造工程は、ＤＶＤを例に挙げると、大きく分けて、光ディスクの原盤をレーザビームによって作製するマスタリング工程と、光ディスク原盤から作製されたスタンパを使用して多数のディスク基板を作製し、ディスク基板上へ膜を形成する成形成膜工程と、対となる２枚の０．６ｍｍ厚の光ディスクを所定の厚みを有する接着剤で貼り合わせて１．２ｍｍ厚のＤＶＤディスク媒体とする貼り合せ工程とがある。
【０００５】
上記成型成膜工程において、スタンパを用いて大量生産されるディスク基板は、スタンパに形成された凹凸パターンが転写されたものである。即ち情報記録面となる部分に凹凸形状のパターンとしてのピット／ランドによる記録データ列が形成され、この記録データ列がスパイラル状もしくは同心円状の記録トラックと成るようにされている。そしてピット／ランドが形成される情報記録面には、その凹凸形状に対して金属合金反射膜が被覆される。
ディスク完成後は、この反射膜により、再生装置から照射されるレーザ光がピット／ランドの部分で反射されるようにしている。なお、ピット列におけるピットとピットの間のランド部分は「スペース」とも呼ばれる。
【発明の開示】
【発明が解決しようとする課題】
【０００６】
ところで再生専用型光ディスクは、製造された後に、追加的な情報を記録することは想定されていない。また上記のように情報記録面には反射膜が被着されているが、この反射膜を記録用の膜として使用することは考えられていない。
ところが近年では、所定の情報データを記録した再生専用型光ディスクの管理のために、製造される再生専用型光ディスクの１枚ごとにユニークな識別番号等の追加的な情報を記録する方法が要望されている。
【０００７】
しかしながら、再生専用型光ディスクは、上述した作製工程によって製作されるため、成形成膜工程によって処理された後の、既に所定の情報データがピットとして記録された再生専用型光ディスクに対して、ピットによる情報データに影響を与えずに追加情報を記録することは難しかった。
すなわち情報データが既にピットとして存在している情報記録領域（コンテンツエリア等）への追加情報の記録は困難であった。
【０００８】
このため、従来提案されている、再生専用型光ディスクに識別番号等の追加情報を記録する方式は、そのほとんどがコンテンツエリア以外の領域に記録されることを前提としているか、あるいは主信号（スタンパから転写されるピット／ランドで記録された信号）の記録変調方式とは異なった方式で追加情報を記録する方法を採用している。
しかしながら、これらの方法で追加情報が記録された再生専用型光ディスクは、追加情報データが主信号とは異なる信号出力、あるいは変調方式であるなど、コンテンツエリア以外の領域の読み取りを前提としている。そのため、専用の読み取り機能を持った再生装置以外では読み出すことが出来ず、既存の再生装置では追加情報が読めないという状況を生じさせ、その点で互換性に乏しいという問題があった。
【０００９】
例えばＤＶＤ−ＲＯＭ規格で規定されているＢＣＡ（Burst Cutting Area）は情報記録領域とは別の領域へ、主信号とは異なる記録変調方式を用いて記録されている。このため、専用の読み取り機能を備えた再生装置が必要である。
また上記特許文献１には、追加情報の記録にあたって情報記録領域以外の領域を選択することが記載されている。
また上記特許文献２においては、追加情報記録がなされた信号の読み取りには、既存の情報記録部との反射率の差を用いることが開示されている。この場合、専用の読み取り機能を備えた再生装置が必要である。
【００１０】
そこで本発明は、再生専用型光ディスク媒体において、上記の成型成膜工程で同一の記録内容のディスク基板が形成された後にディスク個体毎に追加的に記録された情報を、特別な読み取り装置を必要とすることなく読み出せるようにすることを目的とする。さらに、その読出がより安定にかつ確実に実行できるようにすることも目的とする。
【課題を解決するための手段】
【００１１】
本発明の再生専用型光ディスク媒体の製造方法は、第１の変調信号に基づいて情報記録面に凹凸形状を形成する成形工程と、上記情報記録面に反射膜を被覆する成膜工程とを有し、上記凹凸形状をピット及びランドから成る第１の記録データ列として記録トラックを形成する再生専用型光ディスク媒体の製造方法である。そして、上記成形工程において上記ピット及びランドから成る第１の記録データ列が形成された上記記録トラック中に、上記記録層が平面形状となる追加情報記録区間を形成する工程と、上記成膜工程の後に、上記追加情報記録区間において、第２の変調信号に基づいて上記反射膜を消失又は減少させたマークから成る第２の記録データ列を形成する工程とを備え、上記第１の記録データ列と上記第２の記録データ列とにレーザ光を当てた場合の上記第１の記録データ列における再生信号振幅の最小レベルと、上記第２のデータ列における再生信号振幅の最小レベルとが略同一となるように、上記第１のデータ列の形成と上記第２の記録データ列の形成が行われるようにする。
さらに、上記第１の記録データ列を形成する際の情報データの変調方式と上記第２の記録データ列を形成する際の情報データの変調方式とは同一とする。
さらに、上記第２の記録データ列を形成する工程において、上記反射膜を消失又は減少させたマークの幅及び／又は長さを調整することで、上記第１の記録データ列における再生信号振幅の最小レベルと、上記第２の記録データ列における再生信号振幅の最小レベルとが略同一となるように調整する。
さらに、上記成形工程において、上記ピットの幅及び／又は長さを調整することで、上記第１の記録データ列における再生信号振幅の最小レベルと、上記第２の記録データ列における再生信号振幅の最小レベルとが略同一となるように調整する。
【００１２】
また本発明の再生専用型光ディスク媒体の製造方法は、上記同様に成形工程と、成膜工程とを有し、上記凹凸形状をピット及びランドから成る第１の記録データ列として記録トラックを形成する再生専用型光ディスク媒体の製造方法である。そして、上記成形工程において上記ピット及びランドから成る第１の記録データ列が形成された上記記録トラック中に、上記記録層が平面形状となる追加情報記録区間を形成する工程と、上記成膜工程の後に、上記追加情報記録区間において、第２の変調信号に基づいて上記反射膜を消失又は減少させたマークから成る第２の記録データ列を形成する工程とを備え、上記第１の記録データ列と上記第２の記録データ列とにレーザ光を当てた場合の上記第１の記録データ列における最短ピット／スペースに対応する再生信号振幅の中間レベルと、上記第２のデータ列における最短マーク／スペースにおける再生信号振幅の中間レベルとが略同一となるように、上記第１のデータ列の形成と上記第２の記録データ列の形成が行われる。
さらに、上記第１の記録データ列を形成する際の情報データの変調方式と上記第２の記録データ列を形成する際の情報データの変調方式とは同一とする。
さらに、上記第２の記録データ列を形成する工程において、上記反射膜を消失又は減少させたマークの幅及び／又は長さを調整することで、上記第１の記録データ列における最短ピット／スペースに対応する再生信号振幅の中間レベルと、上記第２の記録データ列における最短マーク／スペースにおける再生信号振幅の中間レベルとが略同一となるように調整する。
さらに、上記成形工程において、上記ピットの幅及び／又は長さを調整することで、上記第１の記録データ列における最短ピット／スペースに対応する再生信号振幅の中間レベルと、上記第２の記録データ列における最短マーク／スペースにおける再生信号振幅の中間レベルとが略同一となるように調整する。
【００１３】
また本発明の再生専用型光ディスク媒体の製造方法は、上記同様に成形工程と、成膜工程とを有し、上記凹凸形状をピット及びランドから成る第１の記録データ列として記録トラックを形成する再生専用型光ディスク媒体の製造方法である。そして上記成形工程において上記ピット及びランドから成る第１の記録データ列が形成された上記記録トラック中に、上記記録層が平面形状となる追加情報記録区間を形成する工程と、上記成膜工程の後に、上記追加情報記録区間において、第２の変調信号に基づいて上記反射膜を消失又は減少させたマークから成る第２の記録データ列を形成する工程とを備え、上記第１の記録データ列と上記第２の記録データ列とにレーザ光を当てた場合の上記第１の記録データ列における再生信号振幅の最小レベルと、上記第２のデータ列における再生信号振幅の最小レベルとが略同一となり、かつ、上記第１の記録データ列における最短ピット／スペースに対応する再生信号振幅の中間レベルと、上記第２のデータ列における最短マーク／スペースにおける再生信号振幅の中間レベルとが略同一となるように、上記第１のデータ列の形成と上記第２の記録データ列の形成が行われる。
さらに、上記第１の記録データ列を形成する際の情報データの変調方式と上記第２の記録データ列を形成する際の情報データの変調方式とは同一とする。
さらに、上記第２の記録データ列を形成する工程において、上記反射膜を消失又は減少させたマークの幅及び／又は長さを調整することで、上記第１の記録データ列における再生信号振幅の最小レベルと、上記第２のデータ列における再生信号振幅の最小レベルとが略同一となり、かつ、上記第１の記録データ列における最短ピット／スペースに対応する再生信号振幅の中間レベルと、上記第２の記録データ列における最短マーク／スペースにおける再生信号振幅の中間レベルとが略同一となるように調整する。
さらに、上記成形工程において、上記ピットの幅及び／又は長さを調整することで、上記第１の記録データ列における再生信号振幅の最小レベルと、上記第２のデータ列における再生信号振幅の最小レベルとが略同一となり、かつ、上記第１の記録データ列における最短ピット／スペースに対応する再生信号振幅の中間レベルと、上記第２の記録データ列における最短マーク／スペースにおける再生信号振幅の中間レベルとが略同一となるように調整する。
【００１４】
本発明の再生専用型光ディスク媒体は、第１の変調信号に基づいて形成された凹凸形状を有する情報記録面と、前記情報記録面を被覆する反射膜とを有し、前記凹凸形状をピット及びランドから成る第１の記録データ列として記録トラックを形成する再生専用型光ディスク媒体である。そして、上記ピット及びランドから成る第１の記録データ列が形成された上記記録トラック中に上記記録層が平面形状となる追加情報記録区間が設けられ、該追加情報記録区間において、第２の変調信号に基づいて反射膜を消失又は減少させたマークから成る第２の記録データ列が形成されている。この場合に、上記第１の記録データ列と上記第２の記録データ列とにレーザ光を当てた場合の上記第１の記録データ列における再生信号振幅の最小レベルと、上記第２のデータ列における再生信号振幅の最小レベルとが略同一となるものである。
又は、上記第１の記録データ列と上記第２の記録データ列とにレーザ光を当てた場合の上記第１の記録データ列における最短ピット／スペースに対応する再生信号振幅の中間レベルと、上記第２のデータ列における最短マーク／スペースにおける再生信号振幅の中間レベルとが略同一となる。
又は、上記第１の記録データ列と上記第２の記録データ列とにレーザ光を当てた場合の上記第１の記録データ列における再生信号振幅の最小レベルと、上記第２のデータ列における再生信号振幅の最小レベルとが略同一となり、かつ、上記第１の記録データ列における最短ピット／スペースに対応する再生信号振幅の中間レベルと、上記第２のデータ列における最短マーク／スペースにおける再生信号振幅の中間レベルとが略同一となる。
【００１５】
即ち本発明では、スタンパを用いてディスク基板を大量に製造する段階では、ピット／ランドによる記録データ列で形成される記録トラック内に、予め追加情報記録区間としてピット／ランドが形成されない区間が形成されるようにする。金属合金反射膜は、このような追加情報記録区間も含めて情報記録面上に被覆される。
そしてその後、追加情報記録区間に対して、金属合金反射膜の一部領域を消失又は減少させたマーク（以下、穴空きマーク）を形成することで、第２の記録データ列として追加情報を記録する。
つまり追加情報は、情報記録領域（ピット／ランドによる第１の記録データ列で情報が記録された領域であって、コンテンツエリアやリードイン等の管理エリアを含む領域）における記録トラックの一部領域に記録されるものとなる。
なお、穴空きマークを有する第２の記録データ列として記録される追加情報をどのような情報とするかは多様に想定される。例えば再生専用型光ディスク媒体の１枚ごとにユニークな識別番号等であってもよいし、再生専用光ディスク媒体に記録する主データの一部などとしてもよい。
【００１６】
ここで、このようにピット／ランドによる第１の記録データ列（以下、プリピット信号列ともいう）と穴空きマークによる第２の記録データ列（以下、穴空きマーク信号列ともいう）を形成するようにする場合、プリピット信号列と穴空きマーク信号列の両方の再生信号を安定して読み出すことが要請される。
再生専用型光ディスク媒体の再生信号の検出において、光検出器からの信号を波形等化回路へ入力して処理する際に、プリピット信号列から読み出されたプリピット信号の入力レベルと、穴空きマーク信号列から読み出された穴空きマーク信号の入力レベルが異なると、出力信号においては両信号の切替部分で波形に歪みが生じる。
この出力信号を二値化するスライスレベルは、プリピット信号列における最短ピット／スペースに対応する再生信号振幅の中間レベル（Ｉｓｐ）が強く影響する。
プリピット信号と穴空きマーク信号の両者の信号レベルにおいては、再生信号振幅の最大レベルは両者ともミラー部に対応したものであるため同一とみなせるが、最小レベルはピットや穴空きマークの形成状態によって異なる可能性がある。つまりプリピット信号としての再生信号振幅の最小レベルをＩｂｐ、穴空きマーク信号としての再生信号振幅の最小レベルをＩｂｈとすると、ＩｂｐとＩｂｈがプリピット信号列と穴空きマーク信号列それぞれの形成状態により異なる可能性がある。
すると、穴空きマーク信号列における最短マーク／スペースに対応する再生信号振幅の中間レベル（Ｉｓｈ）と、プリピット信号列における最短ピット／スペースに対応する再生信号振幅の中間レベル（Ｉｓｐ）も、同じくプリピット信号列と穴空きマーク信号列それぞれの形成状態によって異なる可能性がある。
つまり、上記最小レベルＩｂｐとＩｂｈが大きくずれていたり、上記中間レベルＩｓｐとＩｓｈが大きくずれていると、再生時の信号処理を安定して実行できないことになる。
【００１７】
そこで本発明では、プリピット信号列と穴空きマーク信号列とを同一の読出レーザ光により再生した際の、プリピット信号列における再生信号振幅の最小レベル（Ｉｂｐ）と、穴空きマーク信号列における再生信号振幅の最小レベル（Ｉｂｈ）とが略同一となるようにする。
又は、プリピット信号列と上記穴空きマーク信号列とを同一の読出レーザ光により再生した際の、プリピット信号列における最短ピット／スペースに対応する再生信号振幅の中間レベル（Ｉｓｐ）と、穴空きマーク信号列における最短マーク／スペースに対応する再生信号振幅の中間レベル（Ｉｓｈ）とが略同一となるようにする。
又は、これらの両方を満たすようにする。
【発明の効果】
【００１８】
本発明によれば、情報記録領域における記録トラックの一部領域に追加情報データが穴空きマークによる第２の記録データ列として記録される。また、穴空きマークによる第２の記録データ列と、プリピットによる第１の記録データ列は、同一の変調方式により変調した変調信号に基づいて形成される。また、プリピット信号列（第１の記録データ列）と穴空きマーク信号列（第２の記録データ列）とを再生した際の、プリピット信号列における再生信号振幅の最小レベル（Ｉｂｐ）と、穴空きマーク信号列における再生信号振幅の最小レベル（Ｉｂｈ）とが略同一となり、または、プリピット信号列における最短ピット／スペースに対応する再生信号振幅の中間レベル（Ｉｓｐ）と、穴空きマーク信号列における最短マーク／スペースに対応する再生信号振幅の中間レベル（Ｉｓｈ）とが略同一となるようにプリピット信号列ならびに穴空きマーク信号列を形成する。
これらのことから本発明では、再生専用型光ディスク媒体に対して、個々に、追加情報を記録できると共に、光検出器からの信号を波形等化回路に入力しても、プリピット信号と穴空きマーク信号の切替部分で波形歪みを発生させることがなく、またプリピット信号で決定されるスライスレベルによって穴空きマーク信号を二値化しても適正な信号検出ができ、したがって特別な読出機能を備えた再生装置でなくとも、追加情報を含めて安定に確実に再生することができるという効果がある。
【発明を実施するための最良の形態】
【００１９】
以下、本発明の実施の形態を説明する。実施の形態では、本発明の再生専用型光ディスク媒体を、ＤＶＤ方式の再生専用型光ディスクとする例を挙げる。
まず、実施の形態の再生専用型光ディスク９０の製造工程を図１で説明する。
【００２０】
図１は本実施の形態のＤＶＤとしての再生専用型光ディスクを製造する工程を示している。本例のディスク製造工程は、図示するように大きく分けて、光ディスクの原盤をレーザビームによって作製するマスタリング工程と、光ディスク原盤から作製されたスタンパを使用して多数のディスク基板を作製し、ディスク基板上へ膜を形成する成形成膜工程と、対となる２枚の０．６ｍｍ厚の光ディスクを所定の厚みを有する接着剤で貼り合わせて１．２ｍｍ厚の光ディスクとする貼り合せ工程と、貼り合わせ済の個々の光ディスクに対して例えば識別情報などの追加情報を記録する追記工程とを有する。
【００２１】
各工程を説明していく。
マスタリング工程は、マスターディスク９１に記録された情報データに基づいて、光ディスク原盤９２を製造する工程である。この工程では、記録変調信号生成部１００とレーザビームレコーダ１１０を有するマスタリング装置が用いられる。
記録変調信号生成部１００は、マスターディスク９１を再生して、記録する情報データを読み込み、読み込んだ情報データの信号をＥＦＭ＋（Eight to Fourteen Modulation plus）変調して生成したＥＦＭ＋信号をレーザビームレコーダ１１０へ出力する。
【００２２】
光ディスク原盤９２はガラス板に感光物質であるフォトレジストが塗布されたものである。このフォトレジストの塗付厚はピットの深さに相当するものであり、ピット深さを変更したい場合はフォトレジストの塗付厚を変更すればよい。レーザビームレコーダ１１０は、供給されたＥＦＭ＋信号に応じてレーザ光を光ディスク原盤９２に照射し、ＥＦＭ＋信号に基づいたピットパターンの露光を行う。この露光時のレーザビーム強度や露光時間によって、ピットの幅や長さを調整できる。その後、フォトレジスト膜が現像処理されると、ポジ型レジストの場合では、露光された箇所が溶けて凹凸パターンがフォトレジスト膜状に形成され、所定のフォーマットに従ったピットパターン（ピット／ランドの凹凸形状）が光ディスク原盤９２表面に形成される。
【００２３】
なお、上記のように記録変調信号生成部１００はマスターディスク９１から読み出した信号に基づいてＥＦＭ＋信号を生成するが、追記管理部１６０からの指示に基づいて、ＥＦＭ＋信号の一部の特定の期間に無変調信号を挿入する。
無変調信号のタイミング期間では、レーザビームレコーダ１１０におけるレーザ光はオフ期間となる。つまりＥＦＭ＋信号において無変調信号が挿入されることで、光ディスク原盤９２上で露光されない区間が形成される。この区間は全てランドとなって凹凸形状が形成されない区間となり、これが後述する追加情報記録区間となる。
【００２４】
このような光ディスク原盤９２に基づき、この光ディスク原盤９２のピットパターンが反転転写されたスタンパ９３と称される金型が製作される。当然、スタンパ９３にも追加情報記録区間が形成される。
【００２５】
次に成形成膜工程においては、まず成形装置１２０がスタンパ９３を用いて光ディスク基板９４を作製する。光ディスク基板９４には光ディスク原盤９２に形成された凹凸パターンが転写されてピットパターン（プリピット信号列）が形成される。
光ディスク基板９４の作製方法としては、圧縮成形、射出成形、光硬化法等が知られている。
スタンパ９３からピットパターンが転写された光ディスク基板９４に対しては、続いて成膜装置１３０で、反射膜等の被覆膜が被着されることによって、反射膜形成済み光ディスク基板９５が形成される。
【００２６】
次に貼り合せ工程では、上記の反射膜形成済光ディスク基板９５と貼り合せ基板９６との貼り合せが行われる。
貼り合せ基板９６としては、上記同様の工程で作製した反射膜形成済み光ディスク基板か、あるいは、半透過反射膜形成済み光ディスク基板か、反射膜を被覆していないダミー用光ディスク基板が用いられる。
基板貼り合せ装置１４０は、反射膜形成済光ディスク基板９５に対して、上記いずれかの貼り合せ基板９６を貼り合せ、貼り合せ済光ディスク９７を製造する。
貼り合せの際の接着手法としては、紫外線硬化樹脂を用いる手法や、粘着剤付きシートによる手法等が知られている。
【００２７】
従来のＤＶＤでは、上記貼り合せ済光ディスク９７が、完成品としてのＤＶＤとなるが、本例の場合、上述のようにピットパターンが形成された記録トラック上の一部区間に、ピットパターンが形成されていない追加情報記録区間が設けられている。
そこで貼り合せ済光ディスク９７に対して追記工程が行われる。追記工程では、追加情報記録装置１５０が、上記貼り合せ済光ディスク９７における追加情報記録区間に追加情報を書き込む。例えば光ディスク個体毎に異なる識別情報などを追加情報として書き込む。
追加情報記録装置１５０は、追記管理部１６０から追加情報記録区間の位置情報（アドレス）を指示され、また書き込む追加情報が提供されて、追加情報の書込を行う。
この場合、追加情報記録装置１５０は、追加情報をＥＦＭ＋変調するとともに、そのＥＦＭ＋信号に基づいて記録用の高出力レーザパルスを照射し、追加情報記録区間における反射膜を消失又は低減させることで穴空きマークを形成するという手法で書き込みを行う。
【００２８】
穴空きマークの幅や長さは、記録用レーザの出力や発光時間を変更することで調整できる。例えば記録前に予めプリピット信号列の再生信号振幅の最小レベルＩｂｐと、プリピット信号列における最短ピット／スペースに対応する再生信号振幅の中間レベルＩｓｐとを測定しておく。そして穴空きマーク信号列の再生信号振幅の最小レベルＩｂｈが上記の最小レベルＩｂｐと略同一となるように記録用レーザ出力や発光時間を調整したり、穴空きマーク信号列の最短マーク／スペースに対応する再生信号振幅の中間レベルＩｓｈが上記の中間レベルＩｓｐと略同一となるように記録用レーザ出力や発光時間を調整することは実行可能である。
【００２９】
このような追記工程が完了することで、再生専用型光ディスク９０の製造が完了される。そして以上の工程で大量生産される再生専用型光ディスク９０は、同一内容のコンテンツ（音楽、映像、ゲーム、アプリケーションプログラム等）を記録した光ディスクでありながら、個々に固有の追加情報が記録された光ディスクとすることができる。
【００３０】
以上のようにして製造される本例の再生専用型光ディスク９０（ＤＶＤ）について説明する。
図２は、再生専用型光ディスク９０の平面図である。再生専用型光ディスク９０は直径１２ｃｍのディスクとされ、そのうちで矢印の半径範囲で示す領域が情報記録領域１である。この情報記録領域１とは、ＥＦＭ＋信号に基づいたピット／ランドによる記録データ列が、例えばスパイラル状の記録トラックとして形成されている領域であり、管理情報が記録されたリードインエリア、コンテンツデータが記録されたコンテンツエリア、及びリードアウトエリアなどを含む領域である。
【００３１】
この情報記録領域１において、図２中、範囲ＡＲ１，範囲ＡＲ２で示した部分の拡大図及び模式的な断面図を図３，図４に示す。
ここで範囲ＡＲ１は通常のピット／ランドによる記録データ列としての記録トラックが生成された部分とし、範囲ＡＲ２は、穴空きピットが形成された追加情報記録区間を含む部分としている。
【００３２】
範囲ＡＲ１の拡大図を図３（ａ）に示し、また図３（ａ）の破線部分の模式的な断面図を図３（ｂ）に示している。
図３（ａ）には、ピット２及びランド３による記録データ列としてのパターンが形成されている様子を示している。
そして図３（ｂ）からわかるように、この再生専用型光ディスク９０は、それぞれが例えばポリカーボネートより成る厚さ０．６ｍｍの反射膜形成済光ディスク基板９５と貼り合わせ基板（ダミー用光ディスク基板）９６が接着剤５（例えば紫外線硬化樹脂や接着シート）により張り合わされて、１．２ｍｍ厚とされる。
この場合、反射膜形成済光ディスク基板９５の一主面が情報記録面Ｌ０とされ、この情報記録面Ｌ０は、ピット２およびランド（スペース）３による凹凸パターンとして記録データ列（プリピット信号列）が形成されている。また、このピット２およびランド３は、その表面に反射膜４が形成されている。
なお、ピット２とランド３の凹凸関係は逆である場合もある。
【００３３】
反射膜形成済光ディスク基板９５と貼り合わせられる、貼り合わせ基板９６は、図３（ｂ）ではダミー用光ディスク基板（反射膜が被覆されていないディスク基板）としているが、上述したように、貼り合わせ基板９６として反射膜形成済光ディスク基板や、半透過反射膜形成済光ディスク基板を貼り合わせ基板９６として用いても良い。
接着剤５は光透過性であるのが一般的であるが、構造によっては光透過性でなくてもよい。反射膜形成済み光ディスク基板９５と接着され貼り合わせ基板９６が、反射膜あるいは半透過反射膜を有している場合は、その接着面は反射膜あるいは半透過反射膜が形成されている面となる。
【００３４】
次に図２における範囲ＡＲ２の拡大図を図４（ａ）に示し、また図４（ａ）の破線部分の模式的な断面図を図４（ｂ）に示す。
図４（ａ）に示すように、或る１周回トラックの一部区間が追加情報記録区間１０とされており、この追加情報記録区間１０には、上述の追記工程で形成された穴空きマーク６による記録データ列（穴空きマーク信号列）が形成されている。つまり追加情報が穴空きマーク６による記録データ列として記録されたものである。追加情報記録区間１０の部分のトラック線方向の前後は、ピット２及びランド３による記録データ列となり、また追加情報記録区間１０に隣接するトラックもピット２及びランド３による記録データ列となっている。
図４（ｂ）に示すように、範囲ＡＲ２の基本的な層構造は図３（ｂ）と同様となるが、情報記録面Ｌ０の一部に穴空きマーク６が形成されている。即ち穴空きマーク６は、金属合金反射膜４が消失又は低減されて、ほとんど存在しない状態となるようにして形成されたものである。
【００３５】
図５（ａ）（ｂ）は、上述した追記工程で追加情報が記録される前の様子を図４（ａ）（ｂ）に対応させて示したものである。
図５（ａ）に示すように、追加情報記録区間１０は、無変調区間としてピット２、ランド３による凹凸パターンが形成されていない区間とされている。図５（ｂ）からわかるように、この追加情報記録区間１０は、ランド３と同一平面上に存在し、反射膜４が被覆されていわゆるミラー部となっている。
このような追加情報記録区間１０に対して、追記工程において追加情報が記録される。
即ち、上述した追加情報記録装置１５０は、例えば高出力赤色半導体レーザを用いた専用の記録装置として用意され、例えばＤＰＤ（differential phase detection）を用いて情報記録領域１のピット列へトラッキングをかける機能と、所望の区間で記録用の高出力レーザパルスを発光させる機能とを有し、図５の状態の追加情報記録区間１０に対して記録を行って、図４のように穴空きマーク６を形成する。その際の発光パターンの変調は、情報記録領域のピット列に対応した変調と同じ変調方式として、ＥＦＭ＋信号が用いられる。
【００３６】
図６は再生専用型光ディスク９０における追加情報記録区間１０への追加情報の記録として、高出力レーザを入射して穴空きマーク６を形成したサンプルの様子を示している。これは、穴空きマーク６が形成された追加情報記録区間１０のＳＥＭ（走査型電子顕微鏡）観察写真である。
ＳＥＭ観察時には反射膜形成済光ディスク基板９５と貼り合わせ基板９６（ダミー用光ディスク基板）とを接着面で剥がし、反射膜４がむき出しになった部分へ電子線を入射して観察した。反射膜４としては、Ａｌを基合金としてＦｅを約１原子％、Ｔｉを約５原子％含有したＡｌ合金を用いた。
この図６からわかるとおり、追加情報記録区間１０に形成されている金属合金反射膜が追加情報の変調信号に応じて消失或いは減少されて楕円形状に穴が空き、ピットに対応した穴空きマーク６が綺麗に形成されていることがわかる。
【００３７】
このような本例の再生専用型光ディスク９０をＤＶＤとして使用できるようにするには、当然ながらＤＶＤ規格に準拠したディスクとする必要があり、つまり穴空きマーク６による記録データ列が形成された部分も、ＤＶＤ規格に適合していなければならない。
このためには穴空きマーク６による記録データ列部分において、少なくとも以下の条件を満たす必要がある。
・穴空きマーク６による記録データ列が、ランレングス制限を満たしていること。
・穴空きマーク６による記録データ列において反射率がＤＶＤ規格に適合すること。
・穴空きマーク６による記録データ列部分の再生信号の変調度がＤＶＤ規格に適合すること。
・穴空きマーク６による記録データ列部分の再生信号のアシンメトリがＤＶＤ規格に適合すること。
・穴空きマーク６による記録データ列部分のジッター値がＤＶＤ規格に適合すること。
【００３８】
まず穴空きマーク６による記録データ列が、ＤＶＤのランレングス制限を満たしているということは、３Ｔ〜１４Ｔ（Ｔはチャネルクロック周期）の穴空きマーク６及びランドのパターンとなっていることが必要である。このためには追加情報が通常のピット／ランドによる記録データ列の形成の際と同様にＥＦＭ＋信号に変調され、このＥＦＭ＋信号に基づいて穴空きマーク６が形成されること、及び追加情報記録区間の前後のピット列との関係でも、ランレングス制限を満たすようにすればよい。
【００３９】
ここで、穴空きマーク６の部分とは、反射膜が消失または減少されて形成された部分であり、穴空きマーク６と穴空きマーク６の間のスペース部分（ランド部分）が、反射膜が通常に残されている部分である。基本的には穴空きマーク６と穴空きマーク６の間のスペース部分は、ピット２及びランド３による記録データ列のランド３の部分と同様の膜厚となる。したがってプリピット部分と穴空きマーク部分とにおける再生信号振幅の最大レベル、つまりＩ１４Ｈは略同一の値が得られる。
【００４０】
変調度に関しては、ＤＶＤ規格では、
Ｉ１４／Ｉ１４Ｈ≧０．６０
Ｉ３／Ｉ１４≧０．１５（単層ディスクの場合）
Ｉ３／Ｉ１４≧０．２０（２層ディスクの場合）
とされる。
またアシンメトリに関しては、ＤＶＤ規格では、
−０．０５≦｛（Ｉ14Ｈ＋Ｉ14Ｌ）／２−（Ｉ3Ｈ＋Ｉ3Ｌ）／２｝／Ｉ14≦０．１５
とされる。
図７に再生信号のアイパターンの概略図を示している。Ｉ14は１４Ｔパターンのピーク−ボトムの振幅レベル、Ｉ14Hは１４Ｔパターンのピークレベル、Ｉ14Lは１４Ｔパターンのボトムレベル、Ｉ3は３Ｔパターンのピーク−ボトムの振幅レベル、Ｉ3Hは３Ｔパターンのピークレベル、Ｉ3Lは３Ｔパターンのボトムレベルである。
したがってプリピット信号列の再生信号振幅の最小レベルＩｂｐ、穴空きマーク信号列の再生信号振幅の最小レベルＩｂｈは、それぞれプリピット信号、穴空きマーク信号におけるＩ14Lに対応する。
またプリピット信号列における最短ピット／スペースに対応する再生信号振幅の中間レベルＩｓｐ、穴空きマーク信号列における最短マーク／スペースに対応する再生信号振幅の中間レベルＩｓｈは、それぞれプリピット信号、穴空きマーク信号の（Ｉ3H＋Ｉ3L）／２に対応する。
【００４１】
図８に本発明によるピット２及びランド３による記録データ列での再生信号振幅と、穴空きマーク６による記録データ列での、光検出器からの信号に対応する再生信号振幅の概略を示す。本実施の形態における再生専用型光ディスク媒体製造方法によれば、図１０のように、ピット２およびランド３による記録データ列からも、穴空きマーク６による記録データ列からも、Ｉ14H、Ｉ14L、Ｉ3H、Ｉ3Lとして、ほぼ同等のレベルを得ることが出来、上記変調度及びアシンメトリの規格を満たすことができる。そして、再生装置において光検出器からの信号を波形等化回路に入力しても、プリピット信号と穴空きマーク信号の切替部分で波形歪みを発生させることがなく、またプリピット信号で決定されるスライスレベルによって穴空きマーク信号を二値化しても適正な信号検出ができる。
なお再生信号振幅のＩ14H、Ｉ14L、Ｉ3H、Ｉ3Lとして、ほぼ同等のレベルが得られることは、プリピット信号列における再生信号振幅の最小レベル（Ｉｂｐ）と、穴空きマーク信号列における再生信号振幅の最小レベル（Ｉｂｈ）とが略同一となり、または、プリピット信号列における最短ピット／スペースに対応する再生信号振幅の中間レベル（Ｉｓｐ）と、穴空きマーク信号列における最短マーク／スペースに対応する再生信号振幅の中間レベル（Ｉｓｈ）とが略同一となることを意味するが、この略同一の目安は次のようになる。
略同一とは、プリピット信号列の指標値（変調度については最小レベルＩｂｐ、アシンメトリについては中間レベルＩｓｐ）を基準にして、穴空きマーク信号列の指標値（変調度については最小レベルＩｂｈ、アシンメトリについては中間レベルＩｓｈ）が、それぞれ±１５％以内であるとすればよい。
すなわち、
|（Ｉｂｐ−Ｉｂｈ）／Ｉｂｐ|＜0.15
|（Ｉｓｐ−Ｉｓｈ）／Ｉｓｐ|＜0.15
であれば、適正な信号再生としての期待する効果が得られることがわかっている。
【００４２】
ジッター値（対チャネルビットクロック時間）に関しては、８．０％以下とされるように穴空きマーク６による記録データ列が形成されればよい。
【００４３】
ここで、プリピット信号列と穴空きマーク信号列において、変調度やアシンメトリを略同一とするための製造時の調整手法について述べておく。
【００４４】
まず上述のように、プリピット信号列および穴空きマーク信号列を共に安定に読み出すためには、それぞれの信号列の再生信号変調度を略同一にしておく必要がある。
穴空きマーク信号列の再生信号強度は、その再生原理（反射率差再生）と記録マークの生成（熱による膜の溶融）原理とから、変調度を８５％以上にすることは困難となっている。したがって８５％から大きく隔たるような再生信号変調度はピット信号列では設定できず、そのためプリピット信号列の再生信号変調度は９０％以下が望ましい。
また、プリピット信号列をＳＮＲ（Signal Noise Ratio）が良好な状態で安定に読み出すためには、プリピット信号列の再生信号変調度は８０％以上が望ましい。
そのため、プリピット信号列の再生信号変調度は８０％以上、９０％以下が望ましく、したがってそれと略同一の信号が望まれる穴空きマーク信号列においても、再生信号変調度は８０％以上、９０％以下が望ましい。
【００４５】
プリピット信号列についての再生信号振幅についての変調度やアシンメトリの調整は、マスタリング工程で行われることになるが、プリピット信号列についての変調度調整手法としては、上述したようにフォトレジストの塗布厚、原盤露光時のレーザビーム強度、レーザビーム発光時間（露光時間）による手法が考えられる。
【００４６】
図９は光ディスク原盤９２に塗布するレジスト厚（つまり、再生専用型光ディスク９０の段階でのピット深さ）と変調度の関係を示している。基板の屈折率ｎ、再生レーザ光の波長λについて、λ／４ｎ、３λ／４ｎの場合に再生信号変調度は最大（Ｍｍａｘ）となる。
ここで、上記のように、穴空きマーク信号列との間で変調度を略同一としたい場合、プリピット信号列については、穴空きマーク信号列からみて合わせやすい変調度に設定することが適切となる。
仮に、図９の変調度Ｍ１を、８０％以上、９０％以下に相当する所望の変調度であるとした場合、マスタリング工程において光ディスク原盤に塗布するレジスト厚を図のｄ１に設定することが、１つの調整手法となる。
【００４７】
また、原盤露光時のレーザビーム強度によっては、ピットの幅の調整が可能となる。ここで再生専用型光ディスク９０の再生時を考慮する。図１０（ａ）は再生用のレーザスポットＳＰとピット３を示している。
公知のとおり、プリピット信号列は、このようにピット３に対してレーザスポットＳＰが照射された際に、Ａ領域（ピット部分）の反射光（図１０（ｂ）のＬA）とＢ領域（ピット外）の反射光（図１０（ｂ）のＬB）の位相差によって、反射光強度が変わる。
そしてピット幅Ｗｐが変われば、Ａ領域とＢ領域の面積比が変わる。この場合、干渉しあう反射光ＬA、ＬBの光量比が変わり、結果として再生信号変調度が変わる。
つまり、マスタリング工程の段階で原盤露光時のレーザビーム強度を調整設定し、ピット幅を適切に設定することも、プリピット信号列についての変調度の調整手法となる。
【００４８】
また原盤露光時のレーザビームの発光時間（露光時間）によって、ピット長を微調整することでも調整が可能である。
ピット長自体は、例えば３Ｔ〜１４Ｔとして規定され、各Ｔに対応したレーザ発光時間が設定されるが、その各Ｔのレーザ発光時間を微調整することで、各Ｔのピット長を僅かに長くしたり短くすることができる。
つまり再生専用型光ディスク９０の段階で言えば、ピット２のエッジ位置が微調整されたものとなる。
ピット２のエッジ位置の調整は、短いＴのピット（例えば３Ｔ〜６Ｔ程度）については再生信号のＤＣレベルの調整に相当する。短いＴのピットとは、振幅が最大振幅（例えば図７のＩ14）に至らないピットのことである。
従ってレーザビームの発光時間（露光時間）を適切に設定することも、プリピット信号列についての変調度の調整手法となる。
【００４９】
以上ではプリピット信号列についての変調度の調整として述べたが、最大振幅と最小振幅の中間レベルであるアシンメトリの調整という観点でも同様の手法を用いることができる。
【００５０】
そして以上のようなプリピット信号列の調整としては、穴空きマーク信号列の変調度やアシンメトリが、プリピット信号列のそれに合わせやすいようにすることを目的として行われればよい。
【００５１】
次に、穴空きマーク信号列についての調整手法を述べる。
穴空きマーク信号列は追記工程において記録するが、穴空きマーク６の幅や長さは、追加情報記録装置１５０の記録用レーザの出力や発光時間を変更することで調整できる。
【００５２】
穴空きマーク６を形成するための記録用レーザパワーと、穴空きマーク６の幅、長さの関係を調べたものが図１１、図１２である。
なお穴空きマーク６についての幅Ｗｈ、長さＬｈは図１４に示す部分のサイズであり、幅Ｗｈ（ｎ）、長さＬｈ（ｎ）とは、ｎＴのマークの幅及び長さを表す。
図１１（ａ）は３Ｔマークについて、記録用レーザパワーと長さＬｈ（３）の関係を示し、図１１（ｂ）は１１Ｔマークについて、記録用レーザパワーと長さＬｈ（１１）の関係を示している。
また図１２（ａ）は３Ｔマークについて、記録用レーザパワーと幅Ｗｈ（３）の関係を示し、図１２（ｂ）は１１Ｔマークについて、記録用レーザパワーと幅Ｗｈ（１１）の関係を示している。
この測定の際の記録用レーザの発光は、図１３で示すように[n-2]型の記録補償パターンを用いた。これは３Ｔの長さの穴空きマーク６は１つのパルス発光で、１１Ｔの長さは９つのパルス発光で記録するものである。なお、パルス間の間隔はＴに対して短いほうが良好であった。
【００５３】
図１１，図１２からわかるように、３Ｔマークにおいても１１Ｔマークにおいても、記録用レーザパワーにより穴空きマーク６の幅や長さが制御できることがわかる。
なお本実験においてはパルス発光時間を図１３のように固定し、記録用レーザパワーを変えることで穴空きマークの幅、長さの関係を図１１，図１２のように得たが、パルス発光時間を変えることによっても光エネルギー量が変わり、穴空きマークの幅、長さが制御できる。その場合においては図１１，図１２とは異なる関係グラフとなるが、記録用レーザパワーとパルス発光時間によって穴空きマーク６の幅と長さを制御できることが成り立つ。
【００５４】
このように穴空きマーク６の幅や長さを制御可能であることで、穴空きマーク信号列についての変調度やアシンメトリを調整することができる。
まず、穴空きマーク６の幅Ｗｈについて考える。穴空きマーク信号列からの信号再生は、反射光量差に基づく。つまりマーク部分とスペース部分の反射率の差に基づく反射光量の違いによって再生信号振幅が得られる。そして穴空きマーク６の幅Ｗｈが広くなるほど変調度が高くなる。
また穴空きマーク６の長さＬｈは、上記プリピット信号列の場合と同様に、微調整することで例えば３Ｔマーク〜６Ｔマーク程度であれば、再生信号のＤＣレベルの調整が可能となる。
従って、追記工程において穴空きマーク信号列を記録する際の記録レーザパワーの設定により、穴空きマーク信号列についての再生信号の変調度やアシンメトリを、プリピット信号列のそれらに略一致させることができる。
【００５５】
即ち本実施の形態においては、例えばまずマスタリング工程において、形成するプリピット信号列の再生信号振幅の最小レベルＩｂｐと、プリピット信号列における最短ピット／スペースに対応する再生信号振幅の中間レベルＩｓｐとを、穴空きマーク信号列において調整可能な値となるように設定する。具体的には光ディスク原盤９２に塗布するフォトレジストのレジスト厚の設定や、レーザビームレコーダ１１０の記録レーザパワー、発光時間を適切に設定する。
そのように設定して作成された光ディスク原盤９２を元にして、成形成膜工程で反射膜形成済光ディスク基板９５を作成し、さらに貼り合わせ工程で貼り合わせ済光ディスク９７を作成する。
そして追記工程では、貼り合わせ済光ディスク９７に対して穴空きマーク信号列の記録を行うが、その際には、追加情報記録装置１５０の記録用レーザのパワーやパルス発光時間を調整する。
この結果、プリピット信号列の再生信号振幅の最小レベルＩｂｐと穴空きマーク信号列の再生信号振幅の最小レベルＩｂｈが略一致し、またプリピット信号列における最短ピット／スペースに対応する再生信号振幅の中間レベルＩｓｐと穴空きマーク信号列の最短マーク／スペースに対応する再生信号振幅の中間レベルＩｓｈが略一致する再生専用型光ディスク９０を製造することができる。
【００５６】
以下、本実施の形態の再生専用型光ディスク媒体製造方法を用いて作製した再生専用型光ディスク９０としてのＤＶＤが、穴空きマーク６の記録データ列により追加情報を記録されたのち、特別な読み取り機能を備えた再生装置を必要とすることなく信号を検出することが可能であることを確認した実験結果について説明する。
【００５７】
実験では、コンテンツエリア内に複数の追加情報記録区間１０を有する光ディスク基板を用意し、そこへ図６で用いたＡｌ合金膜とは異なる組成を有するＡｌ合金膜を約３５ｎｍ形成して、ダミー用光ディスク基板と貼り合せ、再生専用型ＤＶＤを作製した。
追加情報記録区間１０のトラック線方向の長さＸ（図４参照）は約４０μｍとした。
次に複数の追加情報記録区間１０全てに対して、個々の追加情報記録区間１０の前後のピット列の情報データを考慮して、再生信号検出後のＥＦＭ＋信号が正しくデコードされるように、追加情報を穴空きマーク６によって形成した。穴空きマーク６の形成にもちいる追加情報記録装置１５０としては、波長６５０ｎｍ、対物レンズのＮＡ０．６０の光学系を有する高出力レーザライターを用いた。
【００５８】
追加情報記録区間１０への追加情報の記録が成功していない場合、例えばプリピット信号と穴空きマーク信号のＩ14L（信号振幅の最小レベル）が略同一ではなかったり、および／あるいは、プリピット信号と穴空きマーク信号の（I3H＋I3L）／２（つまり最短ピット（マーク）／スペースに対応する再生信号振幅の中間レベル）が略同一ではなかったりした場合には、穴空きマーク信号の波形等価による歪みやスライスレベルのずれによる二値化検出信号のばらつきなどにより、デコードエラーが増加し、最悪の場合読み取り不能となる。
【００５９】
＜実験例１＞
追加情報記録装置１５０のレーザ出力をディスク盤面上で６４ｍＷとして追加情報記録区間１０への記録を行った再生専用型光ディスク９０（ＤＶＤ）を用意した。
この場合、市販の７社のメーカー製ＤＶＤプレイヤーを各１台ずつ用意し再生テストを行った。その結果、７機種全てでデコードエラーが生じ、再生することが出来なかった。この場合、穴空きマーク信号におけるＩ14Lがプリピット信号のＩ14Lと比較して大きく、また両者の（I3H＋I3L）／２もプリピット信号のそれより穴空きマーク信号のそれのほうが大きく、異なる値となっていた。
【００６０】
＜実験例２＞
まず追加情報記録装置１５０のレーザ出力をディスク盤面上で６６ｍＷとして追加情報記録区間１０への記録を行った再生専用型光ディスク９０（ＤＶＤ）を用意した。
次に市販の７社のメーカー製ＤＶＤプレイヤーを各１台ずつ用意し再生テストを行った。その結果、５機種で追加情報の読み取りを行うことができたが、２機種では読み取りエラーが生じ、再生することが出来なかった。この場合、実験例１ほどではなかったものの、やはり穴空きマーク信号におけるＩ14Lがプリピット信号のＩ14Lと比較してやや大きく、また両者の（I3H＋I3L）／２もプリピット信号のそれより穴空きマーク信号のそれのほうが大きい値となっていた。
【００６１】
＜実験例３＞
追加情報記録装置１５０のレーザ出力をディスク盤面上で６８ｍＷとして追加情報記録区間１０への記録を行った再生専用型光ディスク９０（ＤＶＤ）を用意した。
そして市販の７社のメーカー製ＤＶＤプレイヤーを各１台ずつ用意し再生テストを行った。その結果、７機種全てにおいてデコードエラーが発生することなく追加情報を読み取ることが出来た。
【００６２】
＜実験例４＞
追加情報記録装置１５０のレーザ出力をディスク盤面上で７３ｍＷとして追加情報記録区間１０への記録を行った再生専用型光ディスク９０（ＤＶＤ）を用意した。
そして市販の７社のメーカー製ＤＶＤプレイヤーを各１台ずつ用意し再生テストを行った。その結果、７機種全てにおいてデコードエラーが発生することなく追加情報を読み取ることが出来た。
【００６３】
以上の結果より、実験例３および実験例４における適正なレーザ出力により、穴空きマーク６の記録を行うことで追加情報を記録すれば、本実施の形態の再生専用型光ディスク９０は、特別な読み取り装置を必要とすることなく市販の通常のＤＶＤプレイヤーで再生が可能となることが検証された。
なお、ここでは穴空きマーク６を生成する際の記録条件を調整する場合で述べたが、上述のように、プリピット信号列のピット２の深さや幅を調整することも有効である。
【図面の簡単な説明】
【００６４】
【図１】本発明の実施の形態のディスク製造工程の説明図である。
【図２】実施の形態の再生専用型光ディスクの平面図である。
【図３】実施の形態の再生専用型光ディスクの部分拡大図と模式的断面図である。
【図４】実施の形態の再生専用型光ディスクの部分拡大図と模式的断面図である。
【図５】実施の形態の再生専用型光ディスクの追加情報記録前の部分拡大図と模式的断面図である。
【図６】実施の形態の再生専用型光ディスクの追加情報記録区間のＳＥＭ写真を用いた説明図である。
【図７】再生信号のアイパターンの説明図である。
【図８】実施の形態の再生信号波形の説明図である。
【図９】ピット深さと変調度の関係の説明図である。
【図１０】ピット幅に応じた変調度の変化の説明図である。
【図１１】実施の形態の穴空きマークの長さと記録レーザパワーの関係の説明図である。
【図１２】実施の形態の穴空きマークの幅と記録レーザパワーの関係の説明図である。
【図１３】実施の形態の実験の際の記録レーザパルスの説明図である。
【図１４】実施の形態の穴空きマークの長さと幅の説明図である。
【符号の説明】
【００６５】
１  情報記録領域、２  ピット、３  ランド、４  反射膜、５  接着剤、６  穴空きマーク、７  半透過反射膜、１０  追加情報記録区間、９０  再生専用型光ディスク、９２  光ディスク原盤、１５０  追加情報記録装置
【図１】
0004631901.tif 000002
【図２】
0004631901.tif 000003
【図３】
0004631901.tif 000004
【図４】
0004631901.tif 000005
【図５】
0004631901.tif 000006
【図７】
0004631901.tif 000007
【図８】
0004631901.tif 000008
【図９】
0004631901.tif 000009
【図１０】
0004631901.tif 000010
【図１１】
0004631901.tif 000011
【図１２】
0004631901.tif 000012
【図１３】
0004631901.tif 000013
【図１４】
0004631901.tif 000014
【図６】
0004631901.tif 000015